(57)【要約】【課題】  光触媒反応器において、簡単且つコンパクトな構成で受光面積の飛躍的な増大を図り、もって触媒反応能力を向上させる。【解決手段】  表面に光触媒が担持された微小径の多数の針状体１１を束ねてなり且つ該各針状体１１の外面相互間に形成される軸方向に延びる隙間を流体流路１５とした反応器本体２と、該反応器本体２の軸方向外方に配置されて該反応器本体２に紫外線を照射する光源７を備え、上記光源７から上記反応器本体２に紫外線を照射するとともに、上記反応器本体２の上記流体流路１５に処理流体Ｇを流通させる。係る構成とすることで、飛躍的に大きな受光面積が確保でき光触媒の活性度が極めて高くなること、流体流路１５内を流れる流体の光触媒に対する接触性が極めて良好となること、及び光触媒に対する照射効率が向上すること、から極めて高い触媒反応能力をもつ光触媒反応器を提供できる。【選択図】        図１
2006061842.tif 000002
【特許請求の範囲】
【請求項１】
表面に光触媒が担持された微小径の多数の針状体（１１）を束ねてなり且つ該各針状体（１１）の外周面相互間に形成されて該針状体（１１）の軸方向に延びる隙間をそれぞれ流体流路（１５）とした反応器本体（２）と、該反応器本体（２）の軸方向外方に配置されて該反応器本体（２）に紫外線を照射する光源（７）を備え、上記光源（７）から上記反応器本体（２）に紫外線を照射するとともに、上記反応器本体（２）の上記流体流路（１５）に処理流体（Ａ１）を流通させる構成であることを特徴とする光触媒反応器。
【請求項２】
請求項１において、
上記針状体（１１）が中空構造であって、その中空部の内面に光触媒が担持され、該中空部が上記流体流路（１５）として機能する構成であることを特徴とする光触媒反応器。
【請求項３】
請求項１において、
上記針状体（１１）が中実構造であって、該針状体（１１）の上記光源（７）に近い側の一端部が、該光源（７）側に向かって次第に縮径変化する尖頭状形態とされていることを特徴とする光触媒反応器。
【請求項４】
請求項２において、
中空構造の上記針状体（１１）の上記光源（７）から遠い側の他端部が、該光源（７）から遠ざかる方向において次第に縮径変化する尖頭状形態とされていることを特徴とする光触媒反応器。
【請求項５】
請求項１，２，３又は４において、
上記針状体（１１）として、中実構造の針状体（１１Ａ）と中空構造の針状体（１１Ｂ）が混在していることを特徴とする光触媒反応器。
【請求項６】
請求項１，２，３，４又は５において、
多数の上記針状体（１１）が束ねられた状態で外筒材（１０）の内部に収納されていることを特徴とする光触媒反応器。
【発明の詳細な説明】
【技術分野】
【０００１】
本願発明は、空気、水、有害ガス等の流体を光触媒の触媒反応による分解作用を利用して改質し、これらの流体の浄化、無害化等を図る光触媒反応器に関するものである。
【背景技術】
【０００２】
従来から、空気、水、有害ガス等の流体を光触媒の触媒反応による分解作用を利用して改質し、これらの流体の浄化、無害化等の処理を図る光触媒反応器は種々提案されている。
【０００３】
ところで、光触媒の触媒反応を利用する場合、その処理効率を高めるためには、触媒反応能力の向上を図ることが必要であるが、この触媒反応能力の向上を図るための手段としては、例えば、光触媒の受光面積の拡大による方法と、光触媒に照射される紫外線の光量を増大させる方法とがある。
【０００４】
これら各方法のうち、後者の紫外線の光量を増大させる方法は光源の性能に支配されるところが大きいことから、触媒反応能力の向上手法としてはさほど有効とは言えない。しかし、前者の光触媒の受光面積を拡大させる手法は、改善の自由度が大きいことから、多くの提案がなされている（例えば、特許文献１，２参照）。
【０００５】
特許文献１に示されるものは、光触媒が担持される担体の材質として多孔性陶磁器を採用し、上記担体の表面に多数存在する孔部によって該担体の表面積を実質的に拡大させることで光触媒の触媒反応能力の向上を図ったものである。
【０００６】
特許文献２に示されるものは、ハニカム構造体を基体とし、この基体に光触媒を担持させることで受光面積を拡大し、光触媒の触媒反応能力の向上を図ったものである。
【０００７】
【特許文献１】特開平１１−２４４８７３号公報（段落「００３５」〜「００４２」、図２）
【特許文献２】特開平０６−３４３８７５号公報（段落「０００３」、「０００５」〜「００１１」図１〜図５）。
【発明の開示】
【発明が解決しようとする課題】
【０００８】
ところが、特許文献１に示されるものでは、担体の表面に多数存在する孔部の表面にまで光触媒を担持させることによって該担体全体としての光触媒の受光面積（即ち、光触媒の担持面積）の拡大を図ることはできるものの、担体の表面側を面方向に沿って流れる被処理流体が上記孔部の内部まで進入して光触媒の触媒反応による分解作用を受ける度合いは高くなく、受光面積が拡大された割には触媒反応能力の向上が望めないという問題がある。
【０００９】
一方、特許文献２に示されるものでは、光触媒が担持される基体をハニカム構造体で構成したことで、ハニカム形の多数の流路の内面によって大きな受光面積が確保できるものの、上記基体が板状とされ、且つ上記流路が板厚方向に貫通形成された構成であることから、上記基体における受光面積の拡大は、該基体の平面面積によって制約され、受光面積の飛躍的な増大は望めないものであった。
【００１０】
そこで本願発明は、簡単且つコンパクトな構成で受光面積の飛躍的な増大を図り、もって触媒反応能力の向上を実現した光触媒反応器を提供することを目的としてなされたものである。
【課題を解決するための手段】
【００１１】
本願発明ではかかる課題を解決するための具体的手段として次のような構成を採用している。
【００１２】
本願の第１の発明では、表面に光触媒が担持された微小径の多数の針状体１１を束ねてなり且つ該各針状体１１の外周面相互間に形成されて該針状体１１の軸方向に延びる隙間をそれぞれ流体流路１５とした反応器本体２と、該反応器本体２の軸方向外方に配置されて該反応器本体２に紫外線を照射する光源７を備え、上記光源７から上記反応器本体２に紫外線を照射するとともに、上記反応器本体２の上記流体流路１５に処理流体Ａ１を流通させる構成であることを特徴としている。
【００１３】
本願の第２の発明では、上記第１の発明に係る光触媒反応器において、上記針状体１１を中空構造とし、その中空部の内面に光触媒を担持し、該中空部を上記流体流路１５として機能させる構成であることを特徴としている。
【００１４】
本願の第３の発明では、上記第１の発明に係る光触媒反応器において、上記針状体１１を中実構造とし、該針状体１１の上記光源７に近い側の一端部を、該光源７側に向かって次第に縮径変化する尖頭状形態としたことを特徴としている。
【００１５】
本願の第４の発明では、上記第２の発明に係る光触媒反応器において、中空構造の上記針状体１１の上記光源７から遠い側の他端部を、該光源７から遠ざかる方向において次第に縮径変化する尖頭状形態としたことを特徴としている。
【００１６】
本願の第５の発明では、上記第１、第２、第３又は第４の発明に係る光触媒反応器において、上記針状体１１として、中実構造の針状体１１Ａと中空構造の針状体１１Ｂを混在させた構成であることを特徴としている。
【００１７】
本願の第６の発明では、上記第１、第２、第３，第４又は第５の発明に係る光触媒反応器において、多数の上記針状体１１を束ねた状態で外筒材１０の内部に収納したことを特徴としている。
【発明の効果】
【００１８】
本願発明では次のような効果が得られる。
【００１９】
（ａ）本願の第１の発明に係る光触媒反応器では、表面に光触媒が担持された微小径の多数の針状体１１を束ねてなり且つ該各針状体１１の外周面相互間に形成されて該針状体１１の軸方向に延びる隙間をそれぞれ流体流路１５とした反応器本体２と、該反応器本体２の軸方向外方に配置されて該反応器本体２に紫外線を照射する光源７を備え、上記光源７から上記反応器本体２に紫外線を照射するとともに、上記反応器本体２の上記流体流路１５に処理流体Ａ１を流通させることを特徴としている。
【００２０】
従って、この発明によれば、
第１に、上記反応器本体２は、針状体１１の外周面相互間に形成されてその軸方向に延びる隙間をそれぞれ流体流路１５としているので、これら各流体流路１５の合計表面積、即ち、ここに担持された光触媒の受光面積は、例えば、上記反応器本体２の外接円を内周面とする円筒体の内周表面積に比して格段に大きく、しかも長さの拡大による表面積の増大率も格段に大きいことから、上記反応器本体２の外観形状の増加を抑えつつ、該反応器本体２における光触媒の受光面積の飛躍的増大が図れ、
第２に、上記反応器本体２の流体流路１５の表面に光触媒が担持されているので、該流体流路１５内を流れる処理流体Ａ１の光触媒に対する接触性が極めて良好となる、
第３に、上記光源７から照射された紫外線の照射光は、上記反応器本体２の一端側から上記各流体流路１５内に入射され、その入射方向が該流体流路１５の軸線方向に合致するものを除く大部分の照射光は、上記流体流路１５内に入射したのち、該流体流路１５を構成するその周囲の針状体１１，１１，・・間で反射を繰り返しながら前方へ進行するため、例え上記流体流路１５が微小の断面積をもつ微小流路であったとしても、該流体流路１５の周壁を構成する上記各針状体１１の表面に担持された光触媒に紫外線が万遍なく照射され、その照射効率が向上し、上記反応器本体2全体として飛躍的に大きな受光面積をもつ光触媒の全てが効率良く且つ確実に活性化される、
等の相乗作用によって、極めて高い触媒反応能力をもつ光触媒反応器を提供することができる。
【００２１】
さらに、光触媒の受光面積が極めて大きく、高い触媒反応能力をもつことから、受光面積の所要値を同じとした場合（即ち、触媒反応能力を同じとした場合）には、例えば、流れに直交する面上において受光面積の増大を図る構成（例えば、特許文献２に示されるものがこれに該当する）の場合と比較して、光触媒反応器１の小型軽量化を図ることができる。
【００２２】
(ｂ)  本願の第２の発明に係る光触媒反応器によれば、上記針状体１１を中空構造とし、その中空部の内面に光触媒を担持し、該中空部を上記流体流路１５として機能させる構成としているので、上記反応器本体２全体としての光触媒の受光面積が、上記中空部の内面の表面積分だけさらに増大し、上記（ａ）に記載の効果の更なる向上が期待できる。
【００２３】
(ｃ)  本願の第３の発明に係る光触媒反応器によれば、上記（ａ）に記載の効果に加えて次のような特有の効果が得られる。即ち、この発明では、上記針状体１１を中実構造とし、該針状体１１の上記光源７に近い側の一端部を、該光源７側に向かって次第に縮径変化する尖頭状形態としているので、上記光源７から照射された紫外線の照射光は、例えこれが上記反応器本体２側にその軸方向と平行に入射されたとしても、上記各針状体１１，１１，・・間の上記流体流路１５内に直接入射されるものを除いた他の大部分の照射光は、束ねられた多数の針状体１１の軸方向投影範囲内に入射される。この場合、上記一端部が尖頭状形態をもつことから、ここでの反射光は必ずその入射位置より前方側へ向けて且つ針状体１１の軸線に対して所定の交差角をもって反射され、上記流体流路１５内に確実に入射し、該流体流路１５を構成するその周囲の針状体１１，１１，・・間で反射を繰り返しながら前方へ進行して、該流体流路１５の周壁を構成する上記各針状体１１の表面に担持された光触媒に万遍なく照射される。この結果、例えば、上記針状体１１に上記光源７側の一端部が直状形態とされ、該針状体１１の軸方向投影範囲内に入射される照射光が上記一端部の端面で照射方向手前側へ反射して上記流体流路１５内に進入しない構成の場合に比して、集光効率が向上し上記光触媒に照射される光量が増加することで、上記（ａ）に記載の効果がより一層高められることになる。
【００２４】
(ｄ)  本願の第４の発明に係る光触媒反応器によれば、上記（ｂ）に記載の効果に加えて次のような特有の効果が得られる。即ち、この発明では、中空構造の上記針状体１１の上記光源７から遠い側の他端部を、該光源７から遠ざかる方向において次第に縮径変化する尖頭状形態としているので、例えば、上記光源７から遠い側の他端部が直筒形態をもつもののように、該針状体１１の内部において反射を繰り返しながら進行してきた反射光がそこまでの反射形態を保ったまま上記他端部から外部へ拡散放出されることなく、上記次第に縮径変化する尖頭状形態部分の内部でさらに小ピッチで反射を繰り返しながら上記他端部から外部へ拡散放出されることで、それだけ光触媒の受光量が増加し、その活性化がさらに促進され、光触媒反応器はより高い触媒反応能力をもつことになる。
【００２５】
(ｅ)  本願の第５の発明に係る光触媒反応器によれば、上記（ａ）、（ｂ）、（ｃ）又は（ｄ）に記載の効果に加えて次のような特有の効果が得られる。即ち、この発明では、上記針状体１１として、中実構造の針状体１１Ａと中空構造の針状体１１Ｂを混在させた構成であることから、中実構造の針状体１１Ａにおける尖頭状形態の一端部による集光効率の向上効果と、中空構造の針状体１１Ｂの内面による光触媒の受光面積の増大効果との相乗作用によって、より高い触媒反応能力をもつ光触媒反応器１を提供できる。
【００２６】
(ｆ)  本願の第６の発明に係る光触媒反応器によれば、上記（ａ）、（ｂ）、（ｃ），（ｄ）又は（ｅ）に記載の効果に加えて次のような特有の効果が得られる。即ち、この発明では、多数の上記針状体１１を束ねた状態で外筒材１０の内部に収納しているので、上記外筒材１０の拘束作用によって上記各針状体１１の形状保持性が高められ、その構造上の信頼性及びその取扱性が向上するとともに、外周側に位置する針状体１１とその外側を覆う上記外筒材１０の内面との間の隙間が上記流体流路１５として機能することから、該流体流路１５により形成される分だけ光触媒の受光面積の更なる増大、延いては光触媒反応器の触媒反応能力の向上が期待できる。
【発明を実施するための最良の形態】
【００２７】
以下、本願発明を好適な実施形態に基づいて具体的に説明する。
【００２８】
図１には、本願発明の実施形態に係る光触媒反応器１を示している。この光触媒反応器１は、光触媒の触媒反応による分解作用を利用して、例えば、空気とか水の浄化処理、有害ガス成分の無害化処理を行なうものであって、次述する反応器本体２を備えて構成される。
【００２９】
上記反応器本体２は、図２に拡大図示するように、多数本の針状体１１を束ねて外筒材１０内に充填して構成される。
【００３０】
上記針状体１１は、例えば、直径０．１〜２．０ｍｍの中実針状体を基材とし、その一端側部１１ａを端部に向かって次第に縮径変化する尖頭状形態とするとともに、他端側部１１ｂは基材形態を維持した直棒形態としている。
【００３１】
上記外筒材１０は、所定径（直径３．０〜２０．０ｍｍ）の円筒体で構成され、上記針状体１１の軸長と略同じ軸長を有している。
【００３２】
そして、上記外筒材１０内に多数本の上記針状体１１を、全て同一方向に向きを揃えた状態で充填し、これら多数の針状体１１とこれらを包囲する上記外筒材１０を一体化し、さらにこれを光触媒が満たされた光触媒槽内に浸漬し、上記外筒材１０の内外両周面、及び上記各針状体１１の外周面に薄くコーティングして担持させることで上記反応器本体２が構成される。
【００３３】
従って、このように構成された上記反応器本体２においては、その一端２ａ側（即ち、上記外筒材１０の一端１０ａ側）には上記各針状体１１の尖頭状の一端側部１１ａが剣山状態で臨む一方、その他端２ｂ側(即ち、上記外筒材１０の他端１０ｂ側)には上記各針状体１１の円形の端面が臨んでいる。そして、相互に隣接する上記各針状体１１の外周面間、及び最外周側の針状体１１の外周面と上記外筒材１０の内周面の間には、上記反応器本体２の一端２ａから他端２ｂに跨って貫通する多数の微小断面積をもつ隙間が形成されており、この微小な各隙間をそれぞれ流体流路１５としている。このため、上記各流体流路１５は、全長に亘ってその流路壁が光触媒層で囲まれた状態となっている。
【００３４】
さらに、図１に示すように、上記反応器本体２の一端２ａと他端２ｂには、それぞれ次述の導入側チャンバー材３と導出側チャンバー材４が取り付けられ、これによって上記光触媒反応器１が構成される。
【００３５】
上記導入側チャンバー材３は、有底筒体で構成され、その開口端側を上記反応器本体２側の上記外筒材１０の一端２ａに嵌合固定することで該反応器本体２と一体化される。この導入側チャンバー材３は、上記反応器本体２の一端２ａ側に所定容積の導入室５を形成するものであって、その周壁には複数の流体供給孔８，８，・・を備えている。また、上記導入側チャンバー材３の底壁側には、紫外線照射用の光源７が取り付けられており、該光源７から上記反応器本体２の一端２ａ側に向けて紫外線が照射される。
【００３６】
上記導出側チャンバー材４は、有底筒体で構成され、その開口端側を上記反応器本体２側の上記外筒材１０の他端２ｂに嵌合固定することで該反応器本体２と一体化される。この導出側チャンバー材４は、上記反応器本体２の他端２ｂ側に所定容積の導出室６を形成するものであって、該導出側チャンバー材４には流体導出路９が接続されている。尚、この流体導出路９の下流側には、図示しない適宜の吸引装置が接続されている。
【００３７】
続いて、上記光触媒反応器１を用いて空気の浄化処理を行なう場合を例にとって、その作動等を説明する。
【００３８】
空気の浄化処理に際しては、上記光源７を点灯させて紫外線を上記反応器本体２の一端２ａ側に照射し、該反応器本体２の多数の流体流路１５の流路壁に担持された光触媒を活性化させる。この状態で、上記流体導出路９側の上記吸引装置を作動させ、その吸引力を上記導出室６、上記各流体流路１５を介して上記導入室５に作用させる。この吸引作用によって、上記光触媒反応器１の周囲環境にある空気Ａ１（処理流体）が上記各流体供給孔８を通して上記導入室５内に導入される。この導入室５内に導入された空気Ａ１は、上記導入室５から、該導入室５に臨む上記各流体流路１５を通って上記導出室６内に流れるが、その際、該流体流路１５の流路壁に担持された光触媒の触媒反応による分解作用を受けて雑菌等の少ない清浄な空気Ａ２（処理済流体）とされる。この清浄な空気Ａ２は、上記導出室６から上記流体導出路９を通って取り出される。
【００３９】
ここで、図３に示す上記光触媒反応器１の模式図を参照して、該光触媒反応器１内における作用等を説明する。尚、図３は上記反応器本体２の構成例を示すものであり、後述する他の構成例と区別するため、以下、この図３の構成を「構成例１」という。
【００４０】
上記光触媒反応器１においては、
上記反応器本体２が、針状体１１の外面相互間に形成されてその軸方向に延びる隙間をそれぞれ流体流路１５としているので、これら各流体流路１５の合計表面積、即ち、ここに担持された光触媒の受光面積は、例えば、上記反応器本体２の外接円を内周面とする円筒体の内周表面積に比して格段に大きく、しかも長さの拡大による表面積の増大率も格段に大きいことから、上記反応器本体２の外観形状の増加を抑えつつ、該反応器本体２における光触媒の受光面積の飛躍的増大が図れること、
上記反応器本体２の流体流路１５の表面に光触媒が存在しているので、該流体流路１５内を流れる流体の光触媒に対する接触性が極めて良好であること、
上記光源７から照射された紫外線の照射光は、図３において符号Ｂで示すように、上記反応器本体２の一端側から上記各流体流路１５内に入射され、その入射方向が該流体流路１５の軸線方向に合致するものを除く大部分の照射光は、上記流体流路１５内に入射したのち、該流体流路１５を構成するその周囲の針状体１１，１１，・・間で反射を繰り返しながら前方へ進行するため、例え上記流体流路１５が微小の断面積をもつ微小流路であったとしても、該流体流路１５の周壁を構成する上記各針状体１１の表面に担持された光触媒に対して紫外線が万遍なく照射され、その照射効率が向上し、上記反応器本体2全体として飛躍的に大きな受光面積をもつ光触媒の全てが効率良く且つ確実に活性化されること、
等の相乗作用によって、極めて高い触媒反応能力をもつ光触媒反応器を提供することができることになる。
【００４１】
さらに、この実施形態の光触媒反応器１では、光触媒の受光面積が極めて大きく、高い触媒反応能力をもつことから、受光面積の所要値を同じとした場合（即ち、触媒反応能力を同じとした場合）には、例えば、流れに直交する面上において受光面積の増大を図る構成（例えば、特許文献２に示されるものがこれに該当する）の場合と比較して、光触媒反応器１の小型軽量化を図ることができる。
【００４２】
また、この実施形態においては、上記針状体１１を中実構造とし、該針状体１１の上記光源７に近い側の一端部１１ａを、該光源７側に向かって次第に縮径変化する尖頭状形態としているので、上記光源７から照射された紫外線の照射光は、例えこれが上記反応器本体２側にその軸方向と平行に入射されたとしても、上記各針状体１１，１１，・・間の上記流体流路１５内に直接入射されるものを除いた他の大部分の照射光は、束ねられた多数の針状体１１の軸方向投影範囲内に入射される。
【００４３】
この場合、上記一端部１１ａが尖頭状形態をもつことから、ここでの反射光は必ずその入射位置より前方側へ向けて且つ針状体１１の軸線に対して所定の交差角をもって反射され、上記流体流路１５内に確実に入射し、該流体流路１５を構成するその周囲の針状体１１，１１，・・間で反射を繰り返しながら前方へ進行して、該流体流路１５の周壁を構成する上記各針状体１１の表面に担持された光触媒に万遍なく照射される。この結果、例えば、上記針状体１１に上記光源７側の一端部１１ａが直状形態とされ、該針状体１１の軸方向投影範囲内に入射される照射光が上記一端部の端面で照射方向手前側へ反射して上記流体流路１５内に進入しない構成の場合に比して、集光効率が向上し上記光触媒に照射される光量が増加することで、該光触媒の触媒反応がさらに促進され、より高い触媒反応による分解作用をもつ光触媒反応器１を提供することができる。
【００４４】
尚、上記実施形態においては、上記反応器本体２を、多数の束ねられた針状体１１と、これら針状体１１がその内部に充填収容された上記外筒材１０で構成しているが、上記反応器本体２は係る構成に限定されるのもではなく、例えば、上記外筒材１０を設けずに、上記各針状体１１を束ねて略円柱状形態とし、これら束ねられた多数の針状体１１のみで上記反応器本体２を構成することもできる。
【００４５】
このように、上記反応器本体２が上記外筒材１０を備えない構成である場合には、該外筒材１０が無い分だけ反応器本体２の構造の簡略化が図れるとともに、部材点数の減少による低コスト化が可能となる。
【００４６】
また、逆に、この実施形態のように、反応器本体２が上記外筒材１０を備えた構成である場合には、上記外筒材１０の拘束作用によって上記各針状体１１の形状保持性が高められ、その構造上の信頼性及びその取扱性が向上するとともに、外周側に位置する針状体１１とその外側を覆う上記外筒材１０の内面との間の隙間が上記流体流路１５として機能することから、該流体流路１５により形成される分だけ光触媒の受光面積の更なる増大、延いては光触媒反応器の触媒反応能力の向上が期待できるものである。
【００４７】
さらに、上記反応器本体２を構成する上記各針状体１１は、束ねられて円柱状形態とされるが、その場合、図３の左端において、及び図１２の配置パターン（上記「構成例１」に対応する配置パターンで、以下、「配置パターン１」という）においてそれぞれ示すように、該各針状体１１は、隣接する他の針状体１１の外周面との間に略三角形の断面形状をもつ隙間、即ち、上記流体流路１５が形成されるが、その場合、上記各針状体１１同士を接触させて組付けた場合には、上記流体流路１５のみ存在し、該各針状体１１の対向位置には隙間は存在しない。しかし、これら針状体１１の組み付けに際して、これら隣接する針状体１１相互間に隙間をもたせた場合には、この隙間によって流体流路１５´を形成することができる。
【００４８】
そして、上記各針状体１１を相互に接触状態で組付けるか、微小の隙間をもたせて組付けるかは、必要に応じて選択できるものである。即ち、上記各針状体１１を接触状態で組付けた場合には、該各針状体１１の対向部分に隙間が無い分だけ、上記外筒材１０内に充填可能な針状体１１の本数が多くなり、光触媒の受光面積が増加する。一方、上記各針状体１１をその対向部分に隙間をもたせて組付けた場合には、該隙間が存在する分だけ、上記外筒材１０内に充填可能な針状体１１の本数が少なくなるが、該対向部分も光触媒の受光面積として活用できるので、光触媒の受光面積の増加という利点はある。
【００４９】
また、図１に示す光触媒反応器１においては、主として、上記反応器本体２における光触媒の受光面積及び光触媒に対する紫外線の照射量によって触媒反応による分解能力が決定されるが、例えば、処理空気量によっては上記光触媒反応器１の単一設置では能力不足となる場合が起こり得るが、この場合には、図４に示すように、上記光触媒反応器１を複数個併設して反応器ユニットＵとして用いることでこれに対処することができる。
【００５０】
ところで、上記実施形態では、中実構造で且つその一端側を尖頭状形態とした針状体１１のみを用いて上記反応器本体２を構成した（構成例１）が、本願発明では係る構成例１に限定されるものではなく、以下のような各種の構成を採用し得るものである。以下、上記反応器本体２の構成例として、上記「構成例１」以外の構成について説明する。
【００５１】
「構成例２」
図５には、構成例２を示している。この構成例２では、上記反応器本体２を構成する針状体１１として、上記「構成例１」で採用したと同様の構成、即ち、中実構造で且つその一端部１１Ａａを尖頭状形態とし、他端部１１Ａｂを直状形態とした針状体１１Ａと、中実構造で且つ直状形態とされ（即ち、尖頭状形態部分を備えず）、しかも上記針状体１１Ａの他端部１１Ａｂと略同一の軸長をもつ針状体１１Ｂの二種類の針状体を用いている。そして、これら針状体１１Ａと針状体１１Ｂを、一方の針状体１１Ａの他端部１１Ａａに他方の針状体１１Ｂが対応するようにして上記外筒材１０内に充填収容して上記反応器本体２を構成し、且つ該反応器本体２を、上記一方の針状体１１Ａの一端部１１Ａａを上記光源７側へ指向させた状態で配置することで上記光触媒反応器１を構成する。
【００５２】
また、この場合、上記反応器本体２における上記各針状体１１Ａ，１１Ｂの配置パターンとしては、図１３に示す配置パターン２及び図１４に示す配置パターン３が考えられる。図１３に示す上記配置パターン２は、上記針状体１１Ａと針状体１１Ｂを、該針状体１１Ａの周囲を上記針状体１１Ｂによって取り囲むように６本の針状体１１Ｂを六角形状に配置したものである。図１４に示す上記配置パターン３は、上記配置パターン２とは逆に、上記針状体１１Ａと針状体１１Ｂを、該針状体１１Ｂの周囲を上記針状体１１Ａによって取り囲むように６本の針状体１１Ａを六角形状に配置したものである。
【００５３】
尚、この場合、上記各針状体１１Ａ，１１Ｂを、接触状態で配置する構成と、隙間をもって配置してこの隙間部分を流体流路１５´とする構成の何れをも採用し得ることは勿論である。
【００５４】
この構成例２のものにおいては、図５に示すように、上記光源７から照射された照射光Ｖは、上記流体流路１５の流路壁を構成する上記針状体１１Ａと針状体１１Ｂの外周面１１Ａｃ，１１Ｂａ（正しくは、該外周面に担持された光触媒の表面）において交互に反射を繰り返しながら進行し、該流体流路１５の表面に存在する光触媒に万遍なく照射され、これによって光触媒の活性化が促進され、上記光触媒反応器１は高い触媒反応能力をもち高い分解作用を発揮することになる。
【００５５】
ところで、この構成例２のものでは、上記針状体１１Ｂが尖頭状部分をもたないことから、該針状体１１Ｂの軸方向投影範囲内にその軸方向と平行に入射する照射光は該針状体１１Ｂの端面で反射し、上記流体流路１５側には進入しない。このため、上記流体流路１５への集光効率、及び光触媒への照射効率という点においては、上記構成例１の場合に比して劣ることになる。しかし、上記針状体１１Ｂが短い分だけ上記反応器本体２全体としての軽量化が図れるという利点もある。
【００５６】
「構成例３」
図６には、構成例３を示している。この構成例３では、上記反応器本体２を構成する針状体１１として、上記構成例１で採用したと同様の構成、即ち、中実構造で且つその一端部１１Ａａを尖頭状形態とし、他端部１１Ａｂを直状形態とした針状体１１Ａと、中空構造で且つ直状形態とされ（即ち、尖頭状形態部分を備えず）、しかも上記針状体１１Ａの他端部１１Ａｂと略同一の軸長をもつ針状体１１Ｃの二種類の針状体を用いている。
【００５７】
そして、これら針状体１１Ａと針状体１１Ｃを、一方の針状体１１Ａの他端部１１Ａｂに他方の針状体１１Ｃが対応するようにこれら両者を軸方向にズラせた状態で上記外筒材１０内に充填収容して上記反応器本体２を構成し、且つ該反応器本体２を、上記一方の針状体１１Ａの一端部１１Ａａを上記光源７側へ指向させた状態で配置することで上記光触媒反応器１を構成する。
【００５８】
上記針状体１１Ｃにおいては、その外周面１１Ｃａのみならず、その内周面１１Ｃｂにも光触媒が担持されており、且つこの内周側も上記流体流路１５として機能することから、例えば、上記構成例２の場合に比して、上記針状体１１Ｃの内周面１１Ｃｂの表面積に対応する分だけ、上記反応器本体２における光触媒の受光面積が増大することになる。
【００５９】
また、この場合、上記反応器本体２における上記各針状体１１Ａ，１１Ｃの配置パターンとしては、図１５に示す配置パターン４が考えられる。この配置パターン４は、上記針状体１１Ａと針状体１１Ｃを、該針状体１１Ｃの周囲を上記針状体１１Ａによって取り囲むように６本の針状体１１Ａを六角形状に配置したものである。
【００６０】
尚、この場合、上記各針状体１１Ａ，１１Ｃを、接触状態で配置する構成と、隙間をもって配置してこの隙間部分を流体流路１５´とする構成の何れをも採用し得ることは勿論である。
【００６１】
この構成例３のものにおいては、図６に示すように、上記光源７から照射された照射光Ｖのうち、上記針状体１１Ａ側に指向するものは、該針状体１１Ａの一端部１１Ａａにおいて進行方向前方側へ反射し、その一部は上記針状体１１Ｃの外周面１１Ｃａとの間に形成される上記流体流路１５内に入射され、該流体流路１５内を上記針状体１１Ａの外周面１１Ａｃと上記針状体１１Ｃの外周面１１Ｃａとで交互に反射を繰り返しながら上記導出室６側へ進行する。一方、他の一部は、上記針状体１１Ｃの内周側の流体流路１５へ入射し、その内周面１１Ｃｂ内を交互に反射を繰り返しながら上記導出室６側へ進行する。また、このほかに、上記針状体１１Ｃの内周面１１Ｃｂ内に上記光源７から直接に入射される照射光は、該内周面１１Ｃｂ内を交互に反射を繰り返しながら上記導出室６側へ進行する。
【００６２】
このように、上記光源７からの紫外線の照射光Ｖが、上記反応器本体２側の各流体流路１５内を反射しながら進行し、その流路壁の大きな受光面積をもつ光触媒に照射されることでその活性化が促進され、上記光触媒反応器１は高い触媒反応能力をもち、高い分解作用を発揮することになる。
【００６３】
「構成例４」      
図７には、構成例４を示している。この構成例４では、上記反応器本体２を構成する針状体として、中空構造で、且つその一端部１１Ｄａを直筒状とし、その他端部１１Ｄｂを端部に向かって次第に縮径変化する尖頭状形態とした針状体１１Ｄを採用している。そして、係る構成の針状体１１Ｄを、多数束ねて上記外筒材１０内に充填収容することで上記反応器本体２が構成される。さらに、上記反応器本体２を、上記針状体１１Ｄの一端部１１Ｄａ側の開口端が上記光源７側へ指向した状態で配置することで、上記光触媒反応器１が構成される。
【００６４】
上記針状体１１Ｄにおいては、その外周面１１Ｄｃのみならず、その内周面１１Ｄｄにも光触媒が担持されており、且つこの内周側も上記流体流路１５として機能することから、例えば、上記構成例１のように中実構造の針状体１１のみを備えた構成の場合に比して、上記針状体１１Ｄの内周面１１Ｄｄの表面積に対応する分だけ、上記反応器本体２における光触媒の受光面積が増大することになる。
【００６５】
また、この場合、上記反応器本体２における上記各針状体１１Ｄの配置パターンとしては、図１６に示すように上記針状体１１Ｄを千鳥状に配置した配置パターン５が考えられる。この場合、上記各針状体１１Ｄを、接触状態で配置する構成と、隙間をもって配置してこの隙間部分を流体流路１５´とする構成の何れをも採用し得ることは勿論である。
【００６６】
この構成例４のものにおいては、図７に示すように、上記光源７から照射された照射光Ｖのうち、上記針状体１１Ｄ側に指向するものは、その一端部１１Ｄａの端面からその内周側の流体流路１５に入射され、その内周面１１Ｄｄ内を交互に反射を繰り返しながら上記導出室６側へ進行する。この場合、上記針状体１１Ｄの他端部１１Ｄｂ、即ち、上記光源７から遠い側の他端部を、該光源７から遠ざかる方向において次第に縮径変化する尖頭状形態としているので、例えば、上記他端部１１Ｄｂが直筒形態をもつもののように、該針状体１１Ｄの内部において反射を繰り返しながら進行してきた反射光がそこまでの反射形態を保ったまま上記他端部１１Ｄｂから外部へ拡散放出されることなく、次第に縮径変化する尖頭状形態部分の内部でさらに小ピッチで反射を繰り返しながら上記他端部１１Ｄｂから外部へ拡散放出され、それだけ光触媒の受光量が増加し、その活性化がさらに促進される。
【００６７】
一方、上記光源７から照射された照射光Ｖのうち、上記各針状体１１Ｄ間の上記流体流路１５に指向するものは、該流体流路１５に入射された後、該流体流路１５内を隣接する一方の針状体１１Ｄの外周面１１Ｄｃと他方の針状体１１Ｄの外周面１１Ｄｃとで交互に反射を繰り返しながら上記導出室６側へ進行する。
【００６８】
このように、上記光源７からの紫外線の照射光Ｖが、上記反応器本体２側の各流体流路１５内を反射しながら進行し、その流路壁の大きな受光面積をもつ光触媒に照射されることでその活性化が促進され、上記光触媒反応器１は高い触媒反応能力をもち、高い分解作用を発揮する。
【００６９】
「構成例５」
図８には、構成例５を示している。この構成例５では、上記反応器本体２を構成する針状体１１として、上記構成例１で採用したと同様の構成、即ち、即ち、中実構造で且つその一端部１１Ｅａを尖頭状形態とし、他端部１１Ｅｂを直状形態とした針状体１１Ｅと、上記構成例４で採用した構成、即ち、中空構造で、且つその一端部１１Ｆａを直筒状とし、その他端部１１Ｆｂを端部に向かって次第に縮径変化する尖頭状形態とするとともに、上記針状体１１Ｅより短寸の針状体１１Ｆの二種類の針状体を用いている。
【００７０】
そして、これら針状体１１Ｅと針状体１１Ｆを、一方の針状体１１Ｅの一端部１１Ｅａに他方の針状体１１Ｆの一端部１１Ｆａが軸方向同一位置で対応するようにして上記外筒材１０内に充填収容して上記反応器本体２を構成し、且つ該反応器本体２を、上記一方の針状体１１Ｅの一端部１１Ｅａを上記光源７側へ指向させた状態で配置することで上記光触媒反応器１を構成する。
【００７１】
上記針状体１１Ｆにおいては、その外周面１１Ｆｃのみならず、その内周面１１Ｆｄにも光触媒が担持されており、且つこの内周側も上記流体流路１５として機能することから、例えば、上記構成例１あるいは構成例２の場合に比して、上記針状体１１Ｆの内周面１１Ｆｄの表面積に対応する分だけ、上記反応器本体２における光触媒の受光面積が増大することになる。
【００７２】
また、この場合、上記反応器本体２における上記各針状体１１Ｅ，１１Ｆの配置パターンとしては、図１７に示す配置パターン６が考えられる。この配置パターン６は、上記針状体１１Ｅと針状体１１Ｆを、該針状体１１Ｆの周囲を上記針状体１１Ｅによって取り囲むように６本の針状体１１Ｅを六角形状に配置したものである。
【００７３】
尚、この場合、上記各針状体１１Ｅ，１１Ｆを、接触状態で配置する構成と、隙間をもって配置してこの隙間部分を流体流路１５´とする構成の何れをも採用し得ることは勿論である。
【００７４】
この構成例５のものにおいては、図８に示すように、上記光源７から照射された紫外線の照射光Ｖのうち、上記針状体１１Ｅ側に指向するものは、該針状体１１Ｅの一端部１１Ｅａにおいて進行方向前方側へ反射し、上記針状体１１Ｆの外周面１１Ｆｃとの間に形成される上記流体流路１５内に入射され、該流体流路１５内を上記針状体１１Ｅの外周面１１Ｅｃと上記針状体１１Ｆの外周面１１Ｆｃとで交互に反射を繰り返しながら上記導出室６側へ進行する。
【００７５】
一方、上記針状体１１Ｆ側に指向する照射光Ｖは、該針状体１１Ｆの内周側の流体流路１５へ入射し、その内周面１１Ｆｄ内を交互に反射を繰り返しながら上記導出室６側へ進行する。この場合、上記針状体１１Ｆの他端部１１Ｆｂ、即ち、上記光源７から遠い側の他端部を、該光源７から遠ざかる方向において次第に縮径変化する尖頭状形態としているので、例えば、上記他端部１１Ｆｂが直筒形態をもつもののように、該針状体１１Ｆの内部において反射を繰り返しながら進行してきた反射光がそこまでの反射形態を保ったまま上記他端部１１Ｆｂから外部へ拡散放出されることなく、次第に縮径変化する尖頭状形態部分の内部でさらに小ピッチで反射を繰り返しながら上記他端部１１Ｆｂから外部へ拡散放出され、それだけ光触媒の受光量が増加し、その活性化がさらに促進される。
【００７６】
このように、上記光源７からの紫外線の照射光Ｖが、上記反応器本体２側の各流体流路１５内を反射しながら進行し、その流路壁の大きな受光面積をもつ光触媒に照射されることでその活性化が促進され、上記光触媒反応器１は高い触媒反応能力をもち、高い分解作用を発揮することになる。
【００７７】
「構成例６」
図９には、構成例６を示している。この構成例６は、上記構成例５の変形例として位置付けられるものであって、上記構成例５と基本構成を同じにし、これと異なる点は、上記針状体１１Ｅの他端部１１Ｅｂと上記針状体１１Ｆの一端部１１Ｆａを軸方向同一位置で対応させ、該針状体１１Ｆの他端部１１Ｆａを上記針状体１１Ｅの他端部１１Ｅｂの端面よりも後方側（上記光源７から遠ざかる方向側）へズラせた点である。
【００７８】
従って、この構成例６においても、上記構成例５と同様の効果が得られるものであるが、それに加えて、上記針状体１１Ｅ側へ指向しその一端部１１Ｅａで反射した照射光Ｖの一部が上記針状体１１Ｆの内周側の流体流路１５内に入射することから、係る針状体１１Ｅ側で反射した照射光の上記針状体１１Ｆ内の流体流路１５への入射が無い場合に比して、上記針状体１１Ｆ内の流体流路１５側への集光効率が向上し、該流体流路１５の内周面１１Ｆｄに担持された光触媒の活性化がより一層促進され、上記光触媒反応器１は高い触媒反応能力をもち、高い分解作用を発揮することになる。
【００７９】
「構成例７」
図１０には、構成例７を示している。この構成例７では、上記反応器本体２を構成する針状体１１として、中空構造で、且つその一端部１１Ｇａを端部に向かって次第に縮径変化する尖頭状形態とし、その他端部１１Ｇｂを直筒状とした針状体１１Ｇと、中空構造で、且つその一端部１１Ｈａを直筒状とし、その他端部１１Ｈｂを端部に向かって次第に縮径変化する尖頭状形態とした針状体１１Ｈの二種類の針状体を用いている。尚、実際上は、上記針状体１１Ｇと針状体１１Ｈは同一構成をもつもので、これら両者は、配置方向を１８０°転換した関係にある。
【００８０】
そして、これら針状体１１Ｇと針状体１１Ｈを、一方の針状体１１Ｇの他端部１１Ｇａに他方の針状体１１Ｈの一端部１１Ｈａが軸方向同一位置で対応するようにして上記外筒材１０内に充填収容して上記反応器本体２を構成し、且つ該反応器本体２を、上記一方の針状体１１Ｇの一端部１１Ｇａを上記光源７側へ指向させた状態で配置することで上記光触媒反応器１を構成する。従って、上記反応器本体２においては、上記針状体１１Ｇはその一端部１１Ｇａが上記光源７に近づく方向に、上記針状体１１Ｈはその他端部１１Ｈｂが上記光源７から遠ざかる方向に、それぞれ延出した状態となっている。
【００８１】
また、上記針状体１１Ｇと針状体１１Ｈにおいては、共に、その外周面１１Ｇｃ、１１Ｈｃのみならず、その内周面１１Ｇｄ、１１Ｈｄにも光触媒が担持されており、且つこれも内周側も上記流体流路１５として機能することから、例えば、上記構成例１のように中実構造の針状体１１のみを配して上記反応器本体２を構成する場合に比して、上記針状体１１Ｇ，１１Ｈの内周面１１Ｇｄ、１１Ｈｄの表面積に対応する分だけ、上記反応器本体２における光触媒の受光面積が増大することになる。
【００８２】
また、この場合、上記反応器本体２における上記各針状体１１Ｇ，１１Ｈの配置パターンとしては、図１８に示す配置パターン７が考えられる。この配置パターン７は、上記針状体１１Ｇと針状体１１Ｈを、該針状体１１Ｈの周囲を上記針状体１１Ｇによって取り囲むように６本の針状体１１Ｇを六角形状に配置したものである。尚、この場合、上記各針状体１１Ｇ，１１Ｈを、接触状態で配置する構成と、隙間をもって配置してこの隙間部分を流体流路１５´とする構成の何れをも採用し得ることは勿論である。
【００８３】
この構成例７のものにおいては、図１０に示すように、上記光源７から照射された紫外線の照射光Ｖのうち、上記針状体１１Ｇ側に指向するものは、その一部は該針状体１１Ｇ内の流体流路１５に入射し、該流体流路１５の内周面１１Ｇｄ内を交互に反射を繰り返しながら上記導出室６側へ進行する。これに対して、他の一部は、上記針状体１１Ｇの一端部１１Ｇａにおいて進行方向前方側へ反射し、上記針状体１１Ｈの外周面１１Ｈｃとの間に形成される上記流体流路１５内に入射され、該流体流路１５内を上記針状体１１Ｇの外周面１１Ｇｃと上記針状体１１Ｈの外周面１１Ｈｃで交互に反射を繰り返しながら上記導出室６側へ進行する。
【００８４】
一方、上記針状体１１Ｈ側に指向する照射光Ｖは、該針状体１１Ｈの内周側の流体流路１５へ入射し、その内周面１１Ｈｄ内を交互に反射を繰り返しながら上記導出室６側へ進行する。この場合、上記針状体１１Ｈの他端部１１Ｈｂ、即ち、上記光源７から遠い側の他端部を、該光源７から遠ざかる方向において次第に縮径変化する尖頭状形態としているので、例えば、上記他端部１１Ｈｂが直筒形態をもつもののように、該針状体１１Ｈの内部において反射を繰り返しながら進行してきた反射光がそこまでの反射形態を保ったまま上記他端部１１Ｈｂから外部へ拡散放出されることなく、次第に縮径変化する尖頭状形態部分の内部でさらに小ピッチで反射を繰り返しながら上記他端部１１Ｈｂから外部へ拡散放出され、それだけ光触媒の受光量が増加し、その活性化がさらに促進される。
【００８５】
このように、上記光源７からの紫外線の照射光Ｖが、上記反応器本体２側の各流体流路１５内を反射しながら進行し、その流路壁の大きな受光面積をもつ光触媒に照射されることでその活性化が促進され、上記光触媒反応器１は高い触媒反応能力をもち、高い分解作用を発揮することになる。
【００８６】
「構成例８」
図１１には、構成例８を示している。この構成例８では、上記針状体１１を、微小径の円筒体でなる中空針状体１２内に、中実体でなり且つその一端部１３ａを端部の向かって次第に縮径変化する尖頭状とした中実針状体１３を、これら両者間に環状断面形状の微小隙間を形成した状態で嵌挿し一体化させて構成されている。尚、上記針状体１１における上記中空針状体１２と中実針状体１３の間隔保持は、該中空針状体１２の周壁に設けた凹部１４で行なっている。
【００８７】
そして、このように構成された多数の上記針状体１１を、同方向に向けて束ね、これを上記外筒材１０内に充填収容して上記反応器本体２を構成し、さらに、該反応器本体２を、上記中実針状体１３の一端部１３ａを上記光源７側へ指向させた状態で配置することで上記光触媒反応器１を構成する。
【００８８】
上記針状体１１においては、上記中空針状体１２の外周面１２ａと内周面１２ｂ、及び上記中実針状体１３の外周面１３ｃにそれぞれ光触媒が担持されている。また、上記針状体１１の外周面（即ち、上記中空針状体１２の外周面１２ａ）と上記外筒材１０の内周面の間の隙間と、上記針状体１１における上記中空針状体１２の内周面１２ｂと上記中実針状体１３の外周面１３ｃの間の隙間と、隣接する上記各針状体１１間の隙間の全てが流体流路１５として機能する。
【００８９】
従って、この反応器本体２は、例えば、構成例１の反応器本体２と比較した場合、上記中空針状体１２の外周面１２ａと内周面１２ｂの表面積に対応する分だけ光触媒の受光面積が増大することになる。
【００９０】
また、この場合、上記反応器本体２における上記各針状体１１の配置パターンとしては、図２０に示すように、上記針状体１１Ｄを千鳥状に配置した配置パターン５が考えられる。この場合、上記各針状体１１を、接触状態で配置する構成と、隙間をもって配置してこの隙間部分を流体流路１５´とする構成の何れをも採用し得ることは勿論である。
【００９１】
この構成例８のものにおいては、図１１に示すように、上記光源７から照射された紫外線の照射光Ｖのうち、上記針状体１１側に指向するものは、上記中空針状体１２の端部から該中空針状体１２と中実針状体１３の間の流体流路１５内に入射され、上記中空針状体１２の内周面１２ｂと上記中実針状体１３の外周面１３ｃの間で交互に反射を繰り返しながら上記導出室６側へ進行する。
【００９２】
また、上記各針状体１１間の流体流路１５の指向する照射光Ｖは、隣接する針状体１１の外周面１２ａ間で交互に反射を繰り返しながら上記導出室６側へ進行する。
【００９３】
このように、上記光源７からの紫外線の照射光Ｖが、上記反応器本体２側の各流体流路１５内を反射しながら進行し、その流路壁の大きな受光面積をもつ光触媒に照射されることでその活性化が促進され、上記光触媒反応器１は高い触媒反応能力をもち、高い分解作用を発揮することになる。
【図面の簡単な説明】
【００９４】
【図１】本願発明の実施形態に係る光触媒反応器の全体斜視図である。
【図２】光触媒反応器を構成する反応器本体の一部断面拡大図である。
【図３】反応器本体に備えられる針状体の第１の構成例及び光触媒反応器の作動状態を説明する模式的な断面図である。
【図４】図１に示す光触媒反応器を複数個組み合わせてなる反応器ユニットの斜視図である。
【図５】反応器本体に備えられる針状体の第２の構成例の説明図である。
【図６】反応器本体に備えられる針状体の第３の構成例の説明図である。
【図７】反応器本体に備えられる針状体の第４の構成例の説明図である。
【図８】反応器本体に備えられる針状体の第５の構成例の説明図である。
【図９】反応器本体に備えられる針状体の第６の構成例の説明図である。
【図１０】反応器本体に備えられる針状体の第７の構成例の説明図である。
【図１１】反応器本体に備えられる針状体の第８の構成例の説明図である。
【図１２】第１の構成例における針状体の配置パターン図である。
【図１３】第２の構成例における針状体の配置パターン図である。
【図１４】第３の構成例における針状体の配置パターン図である。
【図１５】第４の構成例における針状体の配置パターン図である。
【図１６】第５の構成例における針状体の配置パターン図である。
【図１７】第６の構成例における針状体の配置パターン図である。
【図１８】第７の構成例における針状体の配置パターン図である。
【図１９】第８の構成例における針状体の配置パターン図である。
【図２０】第９の構成例における針状体の配置パターン図である。
【符号の説明】
【００９５】
１      ・・・・・・・  光触媒反応器
２      ・・・・・・・  反応器本体
３      ・・・・・・・  導入側チャンバー材
４      ・・・・・・・  導出側チャンバー材
５      ・・・・・・・  導入室
６      ・・・・・・・  導出室
７      ・・・・・・・  光源
８      ・・・・・・・  流体供給孔
９      ・・・・・・・  流体導出路
１０    ・・・・・・・  外筒材
１１    ・・・・・・・  針状体
１１Ａ〜１１Ｈ    ・・  針状体
１２    ・・・・・・・  中空針状体
１３    ・・・・・・・  中実針状体
１４    ・・・・・・・  凹部
Ｖ    ・・・・・・・  照射光
【図１】
2006061842.tif 000003
【図２】
2006061842.tif 000004
【図３】
2006061842.tif 000005
【図４】
2006061842.tif 000006
【図５】
2006061842.tif 000007
【図６】
2006061842.tif 000008
【図７】
2006061842.tif 000009
【図８】
2006061842.tif 000010
【図９】
2006061842.tif 000011
【図１０】
2006061842.tif 000012
【図１１】
2006061842.tif 000013
【図１２】
2006061842.tif 000014
【図１３】
2006061842.tif 000015
【図１４】
2006061842.tif 000016
【図１５】
2006061842.tif 000017
【図１６】
2006061842.tif 000018
【図１７】
2006061842.tif 000019
【図１８】
2006061842.tif 000020
【図１９】
2006061842.tif 000021
【図２０】
2006061842.tif 000022